(57)【要約】【課題】プリザーブドフラワの美麗さを生かしつつ、装飾品にも好適に使用できるようにする。【解決手段】プリザーブドフラワの花弁部分において切断を行って花床側部分を切除して得た複数の花弁３２と、これら複数の花弁３２のみを花の形に並べて花弁３２の切断位置側において接着する接着部を有するプリザーブドフラワアレンジメント３１。高さを低くでき、装飾品１１としての髪飾り１２の一部を構成する取り付け部材２１に対してこのプリザーブドフラワアレンジメント３１を固定したときの見栄えが良好になる。【選択図】図１
2010222735.tif 000002
【特許請求の範囲】
【請求項１】
プリザーブドフラワの花床側部分を切除して得た複数の花弁と、
これら複数の花弁を花の形に並べて接着する接着部を有する
プリザーブドフラワアレンジメント。
【請求項２】
当該プリザーブドフラワアレンジメントの中心部の底部に、花弁を接着により一体化する基台部が形成された
請求項１に記載のプリザーブドフラワアレンジメント。
【請求項３】
前記切除がプリザーブドフラワの花弁部分において行われ、前記複数の花弁がプリザーブドフラワの花弁の一部である
請求項１または請求項２に記載のプリザーブドフラワアレンジメント。
【請求項４】
前記プリザーブドフラワとして花の中心部分が露出しない形態のプリザーブドフラワが用いられ、
前記切除が花弁部分において行われ、
前記複数の花弁のうち中心側の花弁で当該プリザーブドフラワアレンジメントの中心部が形成され、外側の花弁で当該プリザーブドフラワアレンジメントの外周部が形成された
請求項１から請求項３のうちのいずれか一項に記載のプリザーブドフラワアレンジメント。
【請求項５】
前記プリザーブドフラワとして花の中心部分が露出した形態のプリザーブドフラワが用いられ、
前記複数の花弁の中心に、装飾部材が固定された
請求項１または請求項２に記載のプリザーブドフラワアレンジメント。
【請求項６】
前記花弁に合成樹脂がコーティングされた
請求項１から請求項５のうちのいずれか一項に記載のプリザーブドフラワアレンジメント。
【請求項７】
プリザーブドフラワの花床側部分を切除し、
該切除により得た複数の花弁を花の形に並べながら接着する
プリザーブドフラワアレンジメントの製造方法。
【請求項８】
前記プリザーブドフラワとして花の中心部分が露出しない形態のプリザーブドフラワが用いられ、
前記切除を、プリザーブドフラワの花弁相互の位置を保持した状態で行って花弁の先端側部分を得るとともに、
該切除により得た複数の花弁のうち中心側の花弁を外側の花弁から分離し、
該中心側の複数の花弁を接着により一体化し、当該プリザーブドフラワアレンジメントの中心部を形成し、
該中心部の周りに前記分離した外側の花弁を接着して当該プリザーブドフラワアレンジメントの外周部を形成する
請求項７に記載のプリザーブドフラワアレンジメントの製造方法。
【請求項９】
前記プリザーブドフラワとして花の中心部分が露出した形態のプリザーブドフラワが用いられ、
前記切除によって得た複数の花弁の接着に際してその中心に装飾部材を固定する
請求項７に記載のプリザーブドフラワアレンジメントの製造方法。
【請求項１０】
前記請求項１から請求項６のうちのいずれか一項に記載のプリザーブドフラワアレンジメントが備えられた
装飾品。
【発明の詳細な説明】
【技術分野】
【０００１】
この発明は、プリザーブドフラワに手を加えて製造するプリザーブドフラワアレンジメントに関し、より詳しくは、特に身飾品等の装飾品などに用いるのに好適なプリザーブドフラワアレンジメントに関する。なお、この発明において「プリザーブドフラワアレンジメント」の「アレンジ」は、複数のプリザーブドフラワをきれいに並べることのほか、プリザーブドフラワに手を加えて形態を改め作り変えることも含む意味である。
【背景技術】
【０００２】
プリザーブドフラワは、きれいに配置されてウエディングブーケやインテリアフラワ、インテリアアートとして利用されている。花弁に鮮やかさや瑞々しさがあるため、高い人気がある。
【０００３】
このようなプリザーブドフラワの新しい用途として、下記特許文献１に開示されているような身飾品が提案されている。
【０００４】
この身飾品は、ブローチ、指輪、イヤリング、ピアス、ペンダント等の身飾品にプリザーブドフラワを取り付けたものである。この取り付けは何の加工もなしに行われる。
【先行技術文献】
【特許文献】
【０００５】
【特許文献１】登録実用新案第３１４９１７８号公報
【発明の概要】
【発明が解決しようとする課題】
【０００６】
しかし、プリザーブドフラワは、実在の花と同じ形態であるため、身飾品に取り付けたときには、上からや斜めから見たときには美しいとも感じ取れることもあるが、横から見たときには、プリザーブドフラワの花床部分があるため高さが高くなるので、身飾品とアンバランスになり、美しさに欠けるという問題がある。
【０００７】
桜やハナミズキなどのような平咲きの花であっても、水平に開いた花弁の下から突出する花床部分があるので、上記の問題点はある。また特に、プリザーブドフラワがバラやジャスミンのような花の場合には、花弁の高さも高いので、上記の問題点が顕著である。
【０００８】
しかも、上記のようにプリザーブドフラワの高さが高いと、身体に着ける身飾品としては、身体を動かすときに邪魔になりやすい。
【０００９】
これまで、プリザーブドフラワに対して開花状態にする加工方法は提案されてきたが、上述のような問題を解消できるような技術は未だにない。
【００１０】
そこで、この発明は、プリザーブドフラワの美麗さを生かしつつ、装飾品にも好適に使用できるようにすることを主たる目的とする。
【課題を解決するための手段】
【００１１】
そのための手段は、プリザーブドフラワの花床側部分を切除して得た複数の花弁と、これら複数の花弁を花の形に並べて接着する接着部を有するプリザーブドフラワアレンジメントである。
【００１２】
前記切除は、プリザーブドフラワの花弁を分離する前に行うも、分離してから行うもいずれでもよい。この切除により、プリザーブドフラワの花弁全体あるいは花弁の一部が得られる。切除する位置は、花の形態と使用目的に応じて、たとえば花床位置、花弁の基部位置、花弁の長さ方向の中間位置などと適宜定められる。
【００１３】
前記接着部は、ボンド等により形成するもよいが、好ましくはグルースティック（スティック状の樹脂）を溶かして硬化させて形成するとよい。造形処理が可能で、硬化も早いため至便だからである。また、厚く盛ることもできるので、当該プリザーブドフラワアレンジメントの中心部の底部に、花弁を接着により一体化する基台を形成することが容易である。
【００１４】
接着部の形成は、切除により得た複数の花弁を花の形に並べながら行い、プリザーブド処理できなかった小さい花や、外観は酷似しているが高さだけが低くなった花など、所望の形態の花を作り上げる。
【００１５】
別の手段は、前記プリザーブドフラワアレンジメントが備えられた装飾品である。プリザーブドフラワアレンジメントは、一定の部位に固定するほか、紐を通すなどして移動可能に備えることもできる。
【発明の効果】
【００１６】
この発明によれば、少なくとも花床側の部分を切除して得た花弁を接着部で接着してプリザーブドフラワアレンジメントを構成するので、プリザーブドフラワよりも高さを低くすることができる。また、プリザーブドフラワよりも小さい花を作ることもできる。このため、プリザーブドフラワの美麗さを生かしつつも、装飾品に取り付けたときに見栄えのするプリザーブドフラワアレンジメントとなる。
【図面の簡単な説明】
【００１７】
【図１】装飾品としての髪飾りにおけるプリザーブドフラワアレンジメントの斜視図。
【図２】プリザーブドフラワアレンジメントの正面図。
【図３】プリザーブドフラワの斜視図と正面図。
【図４】プリザーブドフラワの切断状態を示す正面図。
【図５】中心側の花弁に外側の花弁を接着する状態を示す斜視図。
【図６】プリザーブドフラワアレンジメントの縦断面図。
【図７】プリザーブドフラワの平面図と正面図。
【図８】花弁の中心部に装飾部材を取り付ける状態斜視図。
【図９】コーティング剤によるコーティング状態を示す説明図。
【図１０】コーティング済みのプリザーブドフラワアレンジメントの斜視図。
【図１１】装飾品としての髪飾りの正面図。
【図１２】装飾品としての指輪の正面図。
【図１３】装飾品としてのペンダントの斜視図。
【図１４】装飾品としてのペンダントの斜視図。
【図１５】装飾品としての装飾用具の斜視図。
【図１６】図１５の装飾用具の使用状態の斜視図。
【発明を実施するための形態】
【００１８】
この発明を実施するための一形態を、以下図面を用いて説明する。  
図１は、装飾品１１としての髪飾り１２を示す斜視図であり、この髪飾り１２は、身体等に対して取り付けるための仮想線で示した取り付け部材２１と、この取り付け部材２１に保持されるプリザーブドフラワアレンジメント３１で構成されている。
【００１９】
取り付け部材２１は、装飾品１１に応じて適宜の部材で構成される。装飾品１１としては、たとえば、指輪、イヤリング、ネックレス、チョーカ、ブローチ、アンクレット、ブレスレット、ネイルアート用装飾品、髪飾り（かんざし、カチューシャ、ヘアコーム、バレッタなど）、ベルトバングル、着物の帯び止め、靴のオーナメント、携帯ストラップ、携帯電話装飾品など様々なものがある。
【００２０】
前記プリザーブドフラワアレンジメント３１は、プリザーブドフラワ４１（図３参照）の花床４２側部分を切除して製造される。図２は、図１に示した髪飾り１２のバラのプリザーブドフラワアレンジメント３１部分のみを示す正面図である。なおバラは、花の中心部分が露出しない形態の花である。
【００２１】
図３（ａ）は加工前のバラのプリザーブドフラワ４１を示す斜視図であり、図３（ｂ）はその正面図である。この図３に示したようにバラのプリザーブドフラワ４１は高さｈ１が高く、このまま装飾品１１に用いても装飾品１１として美麗な外観は得にくい。図中、４３はプリザーブドフラワの花弁である。このため、プリザーブドフラワ４１の花床４２側部分を切除して得た複数の花弁３２（図４参照）と、これら複数の花弁３２を花の形に並べて接着する接着部３３（図５、図６参照）で構成し直して、図２に示したように高さｈ２が低く、図１の如く美麗な外観を有するプリザーブドフラワアレンジメント３１を製造する。
【００２２】
製造は次のように行う。  
まず、プリザーブドフラワ４１の花床４２側の部分を切除する。図４では、バラのプリザーブドフラワ４１を例にして示す。切除位置Ａは、花の形態と装飾品の種類に応じて定められる。図１に示したような髪飾り１２をバラのプリザーブドフラワ４１で製造する場合には、プリザーブドフラワ４１の大きさにもよるが、図４（ｂ）に示したようにプリザーブドフラワの花弁４２の長さ方向の中間位置で切断する。この他に、たとえば花床４２位置、花弁４３の基部位置などで適宜設定できる。
【００２３】
また、この切断は、花弁４３が花床４２についた状態のプリザーブドフラワに対して行っても、花床４２から分離した花弁４２に対して行っても、いずれでもよい。前者のように花弁４３が花床４２についた状態のまま行う場合には、プリザーブドフラワの花弁４２の先端側部分を手で持って、花弁４２相互の位置関係を保持した状態で行う。
【００２４】
切断をすると、花弁４２の先端側部分のみからなる複数の花弁３２が得られるので、これらの花弁３２のうち、中心側の花弁３２ａを外側の花弁３２ｂから取り出し、中心側の花弁３２ａの底面（切断面）にグルースティック（図示せず）を溶融して塗布し、前記接着部３３を形成し、中心側の花弁３２ａを一体化して中心部３４を形成する（図５、図６参照）。このとき、花弁３２ａの開き具合や向きなどを所望の形にする。そしてこの一体化は、多少厚めにグルーの層ができるようにして行い、製造されるプリザーブドフラワアレンジメント３１の中心部３４の底部を構成する基台部３５を形成する。この基台部３５は、プリザーブドフラワアレンジメント３１の中心を支える部分となる。この基台部３５を作る方法は、ワイヤを挿して花弁と花床を固定していた従来の方法に比して、より簡単であり、仕上がり状態はより強固である。
【００２５】
この後は、図５に示したように、中心部３４の周りに前記外側の花弁３２ｂを接着してプリザーブドフラワアレンジメント３１の外周部３６を形成する。接着は、前記基台部３５と同じグルースティックを用いて一枚ずつ行い、各花弁３２ｂが所望の花の形を構成するように並べながら行う。このとき花弁３２ｂの基部側内面と中心部３４の基部側外面との間を接着する。なお、図６は、便宜上、花弁３２ｂの肉厚などを考慮せずに概念的に描いたものである。
【００２６】
図７（ａ）は、花の中心部分が露出した形態の桜のプリザーブドフラワ４１の平面図で、図７（ｂ）はその正面図である。このような形態のプリザーブドフラワを用いる場合でも基本的に製法は同じであるが、プリザーブドフラワの花弁４３の全体または略全体をプリザーブドフラワアレンジメント３１の花弁３２として利用できるように、花弁４３の基部位置（図７（ｂ）に仮想線で示した切除位置Ｂ）で切除を行うと、図８に示したように複数の花弁３２の中心に空間４４ができるので、花弁３２の接着に際して前記空間４４に宝玉等の装飾部材３７を固定する。この装飾部材３７の固定に際しても前記基台部３５を形成する。なお、装飾部材３７の固定と花弁４３の固定は、いずれが先であってもよい。
【００２７】
また、図７に示したような平咲きの形の花の場合には、花弁４３自体の長さが上に長くないので、花弁４３がバラバラにならないように花床４２の中間位置（図７（ｂ）に示した切除位置Ｃ）で切断を行ってもよい。この場合には、プリザーブドフラワの花弁４３の全体をプリザーブドフラワアレンジメント３１の花弁３２としてそのまま利用するが、このとき花弁３２を所望の形に並べて接着部３３で固定する。
【００２８】
このようにして、所望形態の成形が終わりプリザーブドフラワアレンジメント一次品３１ａ（図９（ａ））を製造した後は、図９（ｂ）に示したように、液状の合成樹脂からなるコーティング剤３８を花弁３２等に適宜塗布する。コーティング剤３８にはウレタン樹脂等の周知のものが用いられる。また、所望する仕上がり状態に応じて、ソフトのものとハードのものを使い分けるとよい。塗布はコーティング剤３８に浸漬して行うも、筆等の塗布具を用いて行うも、スプレー噴霧によって行うも、いずれでもよい。
【００２９】
すると、図９（ｃ）に示したように、花弁３２の表面は固化したコーティング剤３８に被覆されて、変形等が抑制されるとともに、コーティング剤３８の成分によっては光沢も出る（図１０参照）。
【００３０】
必要によっては、図１０に示したように、パールなどの装飾部材３９を花弁３２に対して取り付けることもできる。取り付けは、前記のようにグルースティックを用いるほか、その他の接着剤、糸等の適宜の手段で行える。
【００３１】
なお、用途によってコーティング剤３８が不要な場合には、プリザーブドフラワアレンジメント一次品３１ａのまま使用し、コーティングをしなくともよい。
【００３２】
こうしてプリザーブドフラワアレンジメント３１が得られ、このプリザーブドフラワアレンジメント３１は、前記取り付け部材２１に取り付けられる。
【００３３】
図１１は、図１に示した髪飾り１２の正面図である。この図に示すように髪飾り１２を構成する取り付け部材２１は、円板状の取り付け板２２と、この取り付け板２２の下面に一体形成された樋状の貫通溝形成部２３を有し、この貫通溝形成部２３に適宜長さの環状のゴムリング２４が固定されている。固定するのではなく、移動可能に保持してもよい。
【００３４】
このような取り付け部材に対してプリザーブドフラワアレンジメント３１（又はプリザーブドフラワアレンジメント一次品３１ａ。以下同じ。）を取り付けるには、前記取り付け板２２に上面にグルースティック等の適宜の接着手段を塗布してこの部分にプリザーブドフラワアレンジメント３１を固定する。
【００３５】
図１２は、指輪１３の正面図である。この指輪１３の取り付け部材２１は、リング状の腕部２５と、この腕部２５の上端部に形成された石座部２６で構成される。石座部２６は皿状に形成され、石座部に前記プリザーブドフラワアレンジメント３１が固定される。石座部２６は、花または花の一部のような形をかたどったものであるとなおよい。
【００３６】
図１３、図１４は、ペンダント１４の斜視図である。このペンダント１４の取り付け部材２１は、鎖状部２７とペンダントトップ２８を有する。ペンダントトップ２８は、円板状をなし、固定するプリザーブドフラワアレンジメント３１の大きさに応じて適宜設定されている。図１３はバラのプリザーブドフラワアレンジメント３１を固定するのに適したように、ペンダントトップ２８の部分が図１４のペンダント１４のペンダントトップ２８よりも大きく形成されている。図１４は桜のプリザーブドフラワアレンジメント３１の固定に適するように、ペンダントトップ２８がプリザーブドフラワアレンジメント３１から大きく露出しないように小さく形成されている。
【００３７】
図１５は、身体ではなく日用品等の適宜の物品を装飾するのに適した装飾用具１５で、取り付け部材２１は、相互に接離する挟みを持った構造のクリップ２９で構成されている。このクリップ２９の中央部分に円板状の取り付け板２２が形成され、この取り付け板２２の上に、前記プリザーブドフラワアレンジメント３１が固定されている。
【００３８】
この装飾用具１５は、たとえば図１６に示したように、鞄（ハンドバッグ）５１等の一部に取り付けて使用される。
【００３９】
なお、前記いずれの例においても、固定するプリザーブドフラワアレンジメント３１自体に、あるいはその下などに、別の花のプリザーブドフラワなどやリボンなどのような装飾のための部材を加えることもできる。
【００４０】
以上のように構成されたプリザーブドフラワアレンジメント３１は、プリザーブドフラワの花弁４３を有するので、鮮やかさや瑞々しさを生かしたプリザーブドフラワアレンジメント３１を得ることができる。しかもプリザーブドフラワアレンジメント３１の花弁３２は、プリザーブドフラワ４１の花床４２側の部分を切除して得るので、プリザーブドフラワ４１の花弁４３の先端側を切断する場合に比して、花弁４２の自然の形を保つことができ、その上で好みに応じた長さの花弁３２を得ることができる。この結果、高さがプリザーブドフラワ４１よりも低いプリザーブドフラワアレンジメント３１や、プリザーブ処理できない大きさの小さいプリザーブドフラワアレンジメント３１など、好みの形態のものを得られる。
【００４１】
また、プリザーブドフラワ４１を開花状態にする場合にはこれまで、プリザーブドフラワ４１の中心部分を残して花弁４３を外側から分離して、その分離した花弁４３を付け直す作業をしていたが、プリザーブドフラワアレンジメント３１を製造するのに花床４２が不可欠であるにもかかわらず、花弁４３の分離に際して花床４２が外れてしまうこともあり、作業が難しい場合があった。これに対して、この発明では前述のように花床４２を全く利用しないか、利用してもその存在に頼らないで、接着部３３で固定してプリザーブドフラワアレンジメント３１を製造するので、作業が容易で、しかも自由度高く楽しみながら製造を行える。
【００４２】
そして、このようなプリザーブドフラワアレンジメント３１を備えた装飾品１１では、実際のプリザーブドフラワ４１よりも高さが低いなどの特性を持ったプリザーブドフラワアレンジメント３１が、プリザーブ処理された花弁３２の美麗さとその形態によって装飾機能を果たし、装飾品１１にふさわしい装飾を行う。そのうえ、装飾品１１が身体に着ける身飾品であっても使用中に邪魔になるようなことや、容易に破損するようにことを回避でき、より良い装飾品１１となる。
【００４３】
この発明の構成と、前記一形態の構成との対応において、  
この発明の装飾品は、前記装飾品１１、髪飾り１２、指輪１３、ペンダント１４、装飾用具１５に対応し、  
合成樹脂は、コーティング剤３８に対応するも、  
この発明は、前記の構成のみに限定されることはなく、その他の形態を採用することもできる。
【００４４】
たとえば、切除した花弁の中間部等を用いてプリザーブドフラワアレンジメントを製造することもできる。また、この発明のプリザーブドフラワアレンジメントは、ワイヤなどの線状体を固定し、この線状体にフラワテープを巻き付けて、生け花のようにして利用することもできる。
【００４５】
前述の例では、プリザーブドフラワとしてバラと桜のプリザーブドフラワを用いることを示したが、そのほかにも、たとえばクチナシ、ガーデニア、マリアンヌ、フレンチマリアンヌ、ガーベラ、スカビオサ、フランネルフラワ、ブルースター、ジャスミン、デンファレ、ハナミズキ、菊、向日葵、カーネーション、ファレノプシス、カトレヤ、シンピジューム、デンドロビウムなどのプリザーブドフラワを用いることもできる。
【符号の説明】
【００４６】
１１…装飾品
１２…髪飾り
１３…指輪
１４…ペンダント
１５…装飾用具
３１…プリザーブドフラワアレンジメント
３２…花弁
３２ａ…中心側の花弁
３２ｂ…外側の花弁
３３…接着部
３４…中心部
３５…基台部
３６…外周部
３７…装飾部材
３８…コーティング剤
４１…プリザーブドフラワ
４２…花床
４３…プリザーブドフラワの花弁
【図１】
2010222735.tif 000003
【図２】
2010222735.tif 000004
【図３】
2010222735.tif 000005
【図４】
2010222735.tif 000006
【図５】
2010222735.tif 000007
【図６】
2010222735.tif 000008
【図７】
2010222735.tif 000009
【図８】
2010222735.tif 000010
【図９】
2010222735.tif 000011
【図１０】
2010222735.tif 000012
【図１１】
2010222735.tif 000013
【図１２】
2010222735.tif 000014
【図１３】
2010222735.tif 000015
【図１４】
2010222735.tif 000016
【図１５】
2010222735.tif 000017
【図１６】
2010222735.tif 000018
【手続補正書】
【提出日】平成21年9月11日(2009.9.11)
【手続補正１】
【補正対象書類名】明細書
【補正対象項目名】００１１
【補正方法】変更
【補正の内容】
【００１１】
そのための手段は、プリザーブドフラワの花弁部分を、その長さ方向の中間位置で切除して得た先端側部分の複数の花弁と、中心部の底部に、前記複数の花弁を花の形に並べて接着し一体化する基台部と、を有し、前記複数の花弁がプリザーブドフラワの花弁の一部である、プリザーブドフラワアレンジメントである。
【手続補正２】
【補正対象書類名】明細書
【補正対象項目名】００１２
【補正方法】変更
【補正の内容】
【００１２】
前記切除は、プリザーブドフラワの花弁を分離する前に行うも、分離してから行うもいずれでもよい。この切除により、プリザーブドフラワの花弁の一部が得られる。切除する位置は、花弁の長さ方向の中間位置である。
【手続補正３】
【補正対象書類名】明細書
【補正対象項目名】００１３
【補正方法】変更
【補正の内容】
【００１３】
前記接着部は、各種接着剤等により形成するもよいが、好ましくはグルースティック（スティック状の樹脂）を溶かして硬化させて形成するとよい。造形処理が可能で、硬化も早いため至便だからである。また、厚く盛ることもできるので、当該プリザーブドフラワアレンジメントの中心部の底部に、花弁を接着により一体化する基台を形成することが容易である。
【手続補正４】
【補正対象書類名】明細書
【補正対象項目名】００１６
【補正方法】変更
【補正の内容】
【００１６】
この発明によれば、花弁部分を切除して得た花弁を接着部で接着してプリザーブドフラワアレンジメントを構成するので、プリザーブドフラワよりも高さを低くすることができる。また、プリザーブドフラワよりも小さい花を作ることもできる。このため、プリザーブドフラワの美麗さを生かしつつも、装飾品に取り付けたときに見栄えのするプリザーブドフラワアレンジメントとなる。
【手続補正５】
【補正対象書類名】明細書
【補正対象項目名】００１７
【補正方法】変更
【補正の内容】
【００１７】
【図１】装飾品としての髪飾りにおけるプリザーブドフラワアレンジメントの斜視図。
【図２】プリザーブドフラワアレンジメントの正面図。
【図３】プリザーブドフラワの斜視図と正面図。
【図４】プリザーブドフラワの切断状態を示す正面図。
【図５】中心側の花弁に外側の花弁を接着する状態を示す斜視図。
【図６】プリザーブドフラワアレンジメントの縦断面図。
【図７】プリザーブドフラワの平面図。
【図８】花弁の中心部に装飾部材を取り付ける状態斜視図。
【図９】コーティング剤によるコーティング状態を示す説明図。
【図１０】コーティング済みのプリザーブドフラワアレンジメントの斜視図。
【図１１】装飾品としての髪飾りの正面図。
【図１２】装飾品としての指輪の正面図。
【図１３】装飾品としてのペンダントの斜視図。
【図１４】装飾品としてのペンダントの斜視図。
【図１５】装飾品としての装飾用具の斜視図。
【図１６】図１５の装飾用具の使用状態の斜視図。
【手続補正６】
【補正対象書類名】明細書
【補正対象項目名】００２０
【補正方法】変更
【補正の内容】
【００２０】
前記プリザーブドフラワアレンジメント３１は、プリザーブドフラワ４１（図３参照）の花弁４３部分を切除して製造される。図２は、図１に示した髪飾り１２のバラのプリザーブドフラワアレンジメント３１部分のみを示す正面図である。なおバラは、花の中心部分が露出しない形態の花である。
【手続補正７】
【補正対象書類名】明細書
【補正対象項目名】００２１
【補正方法】変更
【補正の内容】
【００２１】
図３（ａ）は加工前のバラのプリザーブドフラワ４１を示す斜視図であり、図３（ｂ）はその正面図である。この図３に示したようにバラのプリザーブドフラワ４１は高さｈ１が高く、このまま装飾品１１に用いても装飾品１１として美麗な外観は得にくい。図中、４３はプリザーブドフラワの花弁である。このため、プリザーブドフラワ４１の花弁４３部分を、その長さ方向の中間位置で切除して得た先端側部分の複数の花弁３２（図４参照）と、これら複数の花弁３２を花の形に並べて接着する接着部３３（図５、図６参照）で構成し直して、図２に示したように高さｈ２が低く、図１の如く美麗な外観を有するプリザーブドフラワアレンジメント３１を製造する。
【手続補正８】
【補正対象書類名】明細書
【補正対象項目名】００２２
【補正方法】変更
【補正の内容】
【００２２】
製造は次のように行う。
まず、プリザーブドフラワ４１の花弁４３部分を切除する。図１に示したような髪飾り１２をバラのプリザーブドフラワ４１で製造する場合には、プリザーブドフラワ４１の大きさにもよるが、図４（ｂ）に示したようにプリザーブドフラワの花弁４２の長さ方向の中間位置で切断する。
【手続補正９】
【補正対象書類名】明細書
【補正対象項目名】００２３
【補正方法】変更
【補正の内容】
【００２３】
また、この切断は、花弁４３が花床４２についた状態のプリザーブドフラワに対して行っても、花床４２から分離した花弁４３に対して行っても、いずれでもよい。前者のように花弁４３が花床４２についた状態のまま行う場合には、プリザーブドフラワの花弁４３の先端側部分を手で持って、花弁４３相互の位置関係を保持した状態で行う。
【手続補正１０】
【補正対象書類名】明細書
【補正対象項目名】００２４
【補正方法】変更
【補正の内容】
【００２４】
切断をすると、花弁４３の先端側部分のみからなる複数の花弁３２が得られるので、これらの花弁３２のうち、中心側の花弁３２ａを外側の花弁３２ｂから取り出し、中心側の花弁３２ａの底面（切断面）にグルースティック（図示せず）を溶融して塗布し、前記接着部３３を形成し、中心側の花弁３２ａを一体化して中心部３４を形成する（図５、図６参照）。このとき、花弁３２ａの開き具合や向きなどを所望の形にする。そしてこの一体化は、多少厚めにグルーの層ができるようにして行い、製造されるプリザーブドフラワアレンジメント３１の中心部３４の底部を構成する基台部３５を形成する。この基台部３５は、プリザーブドフラワアレンジメント３１の中心を支える部分となる。この基台部３５を作る方法は、ワイヤを挿して花弁と花床を固定していた従来の方法に比して、より簡単であり、仕上がり状態はより強固である。
【手続補正１１】
【補正対象書類名】明細書
【補正対象項目名】００２６
【補正方法】変更
【補正の内容】
【００２６】
図７は、花の中心部分が露出した形態の桜のプリザーブドフラワ４１の平面図である。このような形態のプリザーブドフラワを用いる場合でも基本的に製法は同じである。図８に示したように複数の花弁３２の中心に空間４４ができるので、花弁３２の接着に際して前記空間４４に宝玉等の装飾部材３７を固定する。この装飾部材３７の固定に際しても前記基台部３５を形成する。なお、装飾部材３７の固定と花弁３２の固定は、いずれが先であってもよい。
【手続補正１２】
【補正対象書類名】明細書
【補正対象項目名】００２７
【補正方法】削除
【補正の内容】
【手続補正１３】
【補正対象書類名】明細書
【補正対象項目名】００３４
【補正方法】変更
【補正の内容】
【００３４】
このような取り付け部材に対してプリザーブドフラワアレンジメント３１（又はプリザーブドフラワアレンジメント一次品３１ａ。以下同じ。）を取り付けるには、前記取り付け板２２の上面にグルースティック等の適宜の接着手段を塗布してこの部分にプリザーブドフラワアレンジメント３１を固定する。
【手続補正１４】
【補正対象書類名】明細書
【補正対象項目名】００４０
【補正方法】変更
【補正の内容】
【００４０】
以上のように構成されたプリザーブドフラワアレンジメント３１は、プリザーブドフラワの花弁４３を有するので、鮮やかさや瑞々しさを生かしたプリザーブドフラワアレンジメント３１を得ることができる。しかもプリザーブドフラワアレンジメント３１の花弁３２は、プリザーブドフラワ４１の花弁４３部分を切除して得るので、プリザーブドフラワ４１の花弁４３の先端側を切断する場合に比して、花弁４３の自然の形を保つことができ、その上で好みに応じた長さの花弁３２を得ることができる。この結果、高さがプリザーブドフラワ４１よりも低いプリザーブドフラワアレンジメント３１や、プリザーブ処理できない大きさの小さいプリザーブドフラワアレンジメント３１など、好みの形態のものを得られる。
【手続補正１５】
【補正対象書類名】明細書
【補正対象項目名】００４１
【補正方法】変更
【補正の内容】
【００４１】
また、プリザーブドフラワ４１を開花状態にする場合にはこれまで、プリザーブドフラワ４１の中心部分を残して花弁４３を外側から分離して、その分離した花弁４３を付け直す作業をしていたが、プリザーブドフラワアレンジメント３１を製造するのに花床４２が不可欠であるにもかかわらず、花弁４３の分離に際して花床４２が外れてしまうこともあり、作業が難しい場合があった。これに対して、この発明では前述のように花床４２を全く利用することなく、接着部３３で固定してプリザーブドフラワアレンジメント３１を製造するので、作業が容易で、しかも自由度高く楽しみながら製造を行える。
【手続補正１６】
【補正対象書類名】明細書
【補正対象項目名】００４２
【補正方法】変更
【補正の内容】
【００４２】
そして、このようなプリザーブドフラワアレンジメント３１を備えた装飾品１１では、実際のプリザーブドフラワ４１よりも高さが低いなどの特性を持ったプリザーブドフラワアレンジメント３１が、プリザーブ処理された花弁３２の美麗さとその形態によって装飾機能を果たし、装飾品１１にふさわしい装飾を行う。そのうえ、装飾品１１が身体に着ける身飾品であっても使用中に邪魔になるようなことや、容易に破損するようなことを回避でき、より良い装飾品１１となる。
【手続補正１７】
【補正対象書類名】明細書
【補正対象項目名】００４４
【補正方法】変更
【補正の内容】
【００４４】
たとえば、この発明のプリザーブドフラワアレンジメントは、ワイヤなどの線状体を固定し、この線状体にフラワテープを巻き付けて、生け花のようにして利用することもできる。
【手続補正１８】
【補正対象書類名】特許請求の範囲
【補正対象項目名】全文
【補正方法】変更
【補正の内容】
【特許請求の範囲】
【請求項１】
プリザーブドフラワの花弁部分を、その長さ方向の中間位置で切除して得た先端側部分の複数の花弁と、
中心部の底部に、前記複数の花弁を花の形に並べて接着し一体化する基台部
と、を有し、
前記複数の花弁がプリザーブドフラワの花弁の一部である、
プリザーブドフラワアレンジメント。
【請求項２】
前記プリザーブドフラワとして花の中心部分が露出しない形態のプリザーブドフラワが用いられ、
前記切除が花弁部分において行われ、
前記複数の花弁のうち中心側の花弁で当該プリザーブドフラワアレンジメントの中心部が形成され、外側の花弁で当該プリザーブドフラワアレンジメントの外周部が形成された
請求項１に記載のプリザーブドフラワアレンジメント。
【請求項３】
前記プリザーブドフラワとして花の中心部分が露出した形態のプリザーブドフラワが用いられ、
前記花弁の中心に、装飾部材が固定された
請求項１に記載のプリザーブドフラワアレンジメント。
【請求項４】
前記花弁に合成樹脂がコーティングされた
請求項１から請求項３のうちのいずれか一項に記載のプリザーブドフラワアレンジメント。
【請求項５】
前記請求項１から請求項４のうちのいずれか一項に記載のプリザーブドフラワアレンジメントが備えられた
装飾品。
【手続補正１９】
【補正対象書類名】図面
【補正対象項目名】図７
【補正方法】変更
【補正の内容】
【図７】
2010222735.tif 000019
【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
プリザーブドフラワとして花の中心部分が露出しない形態のプリザーブドフラワが用いられ、
前記プリザーブドフラワの花弁部分を、その長さ方向の中間位置で切除して得た先端側部分の複数の花弁と、
中心部の底部に、前記複数の花弁を花の形に並べて接着し一体化する基台部と、を有し、
前記複数の花弁のうち中心側の花弁で当該プリザーブドフラワアレンジメントの中心部が形成され、外側の花弁で当該プリザーブドフラワアレンジメントの外周部が形成されたプリザーブドフラワアレンジメント。
【請求項２】
前記花弁に合成樹脂がコーティングされた請求項１に記載のプリザーブドフラワアレンジメント。
【請求項３】
前記請求項１または請求項２に記載のプリザーブドフラワアレンジメントが備えられた装飾品。